(57)【要約】【課題】挿入口からの尿漏れを従来構成よりも抑制し得る尿受容器を提供する。【解決手段】受容器本体１０の基端側の開口部２３に嵌着されて挿入口６を形成する挿入口部材１１を、開口部２３の周縁に外嵌する嵌着部３１と、開口部２３から受容器本体１０の内部に延出して、受容器本体１０の基端側の内壁２５を覆うように配置される内カバー３０と、開口部２３の内側に延出して挿入口６を形成する環状壁部３４とで構成する。そして、内カバー３０の先端と、受容器本体１０の内壁２５との間に段差２６を形成するとともに、環状壁部３４を、内カバー３０の内側で開口部２３から受容器本体１０の内部に延出させて、環状壁部３４と内カバー３０との間に、挿入口６の周縁に沿って先端側に開口する逆流防止溝４１を形成する。【選択図】図３
2018191977.tif 000002
【特許請求の範囲】
【請求項１】
陰茎を挿入する挿入口と、チューブを介して蓄尿容器と連通する排出口とを備え、内部で排泄された尿を排出口から流出させる尿受容器であって、
先端側に前記排出口が形成され、基端側に開口部が形成された受容器本体と、該受容器本体の前記開口部に嵌着されて前記挿入口を形成する挿入口部材とを備えてなり、
挿入口部材は、
受容器本体の前記開口部の周縁に外嵌する嵌着部と、
前記開口部から受容器本体の内部に延出して、受容器本体の基端側の内壁を覆うように配置される内カバーと、
前記開口部の内側に延出して前記挿入口を形成する環状壁部と
を備えてなり、
内カバーの先端と、受容器本体の内壁との間には段差が形成されており、
環状壁部は、内カバーの内側で前記開口部から受容器本体の内部に延出して、内カバーとの間に、前記挿入口の周縁に沿って先端側に開口する逆流防止溝を形成していることを特徴とする尿受容器。
【請求項２】
環状壁部は、上部に切り欠き状の欠落部を有していることを特徴とする請求項１に記載の尿受容器。
【請求項３】
受容器本体の内壁と、挿入口部材の内カバーとの間には隙間が形成されていることを特徴とする請求項１又は請求項２に記載の尿受容器。
【請求項４】
挿入口部材は、受容器本体よりも軟質材料で形成されていることを特徴とする請求項１乃至請求項３のいずれか１項に記載の尿受容器。
【請求項５】
伸張可能な伸縮フィルムで形成され、他端側から一端側へテーパー状に先細りとなるテーパー部を有し、一端側の開口が他端側の開口よりも小径な管形状をなす挿入口カバーを備え、
挿入口カバーは、
一端側の開口が非伸張状態で挿入口より小径であり、かつ、他端側の開口が非伸張状態で嵌着部より小径であり、
他端側の開口を伸張させて嵌着部に外嵌させるように装着され、一端側の開口が、挿入口の手前側に、挿入口よりも小径の開口を形成していることを特徴とする請求項１乃至請求項４のいずれか１項に記載の尿受容器。
【発明の詳細な説明】
【技術分野】
【０００１】
陰茎を挿入する挿入口と、チューブを介して蓄尿容器と連通する排出口とを備え、内部で排泄された尿を排出口から流出させる尿受容器に関する。
【背景技術】
【０００２】
尿を受け入れる尿受容器と尿を蓄える蓄尿容器とをチューブで接続してなる尿器が提案されている（例えば、特許文献１）。かかる尿器では、尿受容器は、陰茎を挿入する挿入口と、チューブを介して蓄尿容器と連通する排出口とを備えており、尿受容器内に排泄された尿を排出口からチューブを介して蓄尿容器に流下させるよう構成されている。
【先行技術文献】
【特許文献】
【０００３】
【特許文献１】特開２０１２−１１０６３８号公報
【発明の概要】
【発明が解決しようとする課題】
【０００４】
上記特許文献１に記載の尿器は、使用時に尿受容器の傾きが不適切であると、排泄された尿の一部又は全部が挿入口側に逆流して、挿入口から漏れ出てしまう場合がある。
【０００５】
本発明は、かかる現状に鑑みて為されたものであり、挿入口からの尿漏れを従来構成よりも抑制し得る尿受容器の提供を目的とする。
【課題を解決するための手段】
【０００６】
本発明は、陰茎を挿入する挿入口と、チューブを介して蓄尿容器と連通する排出口とを備え、内部で排泄された尿を排出口から流出させる尿受容器であって、先端側に前記排出口が形成され、基端側に開口部が形成された受容器本体と、該受容器本体の前記開口部に嵌着されて前記挿入口を形成する挿入口部材とを備えてなり、挿入口部材は、受容器本体の前記開口部の周縁に外嵌する嵌着部と、前記開口部から受容器本体の内部に延出して、受容器本体の基端側の内壁を覆うように配置される内カバーと、前記開口部の内側に延出して前記挿入口を形成する環状壁部とを備えてなり、内カバーの先端と、受容器本体の内壁との間には段差が形成されており、環状壁部は、内カバーの内側で前記開口部から受容器本体の内部に延出して、内カバーとの間に、前記挿入口の周縁に沿って先端側に開口する逆流防止溝を形成していることを特徴とする尿受容器である。
【０００７】
かかる構成にあっては、尿受容器の内部で尿が挿入口側に逆流した場合、まず、逆流した尿は、内カバーの先端に形成された段差で堰き止められることとなる。そして、尿がかかる段差を越えてさらに逆流した場合でも、逆流した尿は、挿入口の周囲に形成された逆流防止溝に入り込むこととなるため、挿入口から漏れ出ることはない。このように、本発明の尿受容器では、内カバーの先端の段差と挿入口周囲の逆流防止溝とによって尿の逆流を阻止するため、従来構成に比べて、挿入口からの尿漏れを抑制できる。
【０００８】
本発明にあって、環状壁部は、上部に切り欠き状の欠落部を有している構成が提案される。かかる構成では、環状壁部が、拡開方向に力が加わった時に、欠落部の部分を広げることで比較的容易に拡開可能となるため、挿入口に挿入した陰茎が環状壁部の径よりも大きく膨張した場合でも、陰茎が強く締め付けられないという利点がある。
【０００９】
また、本発明にあって、受容器本体の内壁と、挿入口部材の内カバーとの間には隙間が形成されている構成が提案される。かかる構成では、尿受容器の内部で逆流した尿は、まず、内カバーと内壁の隙間に流入することとなるため、内カバーの内側に尿が一層流れ込み難くなる。このため、かかる構成とすれば、挿入口からの尿漏れを一層抑制できる。また、陰茎の触れ易い内カバーの内側が尿で濡れ難くなるため、使用者が不快感を抱き難いという利点もある。
【００１０】
また、本発明にあって、挿入口部材は、受容器本体よりも軟質材料で形成されている構成が提案される。受容器本体は一定の硬さを確保する必要があるが、挿入口部材は、受容器本体ほどの硬さは求められず、むしろ、軟質材料で形成して伸張し易くすれば、環状壁部を伸張させて挿入口を拡開させ易くなる。このため、かかる構成とすれば、挿入口に挿入した陰茎が環状壁部の径よりも大きく膨張した場合でも、陰茎が強く締め付けられないという利点がある。
【００１１】
また、本発明にあって、伸張可能な伸縮フィルムで形成され、他端側から一端側へテーパー状に先細りとなるテーパー部を有し、一端側の開口が他端側の開口よりも小径な管形状をなす挿入口カバーを備え、挿入口カバーは、一端側の開口が非伸張状態で挿入口より小径であり、かつ、他端側の開口が非伸張状態で嵌着部より小径であり、他端側の開口を伸張させて嵌着部に外嵌させるように装着され、一端側の開口が、挿入口の手前側に、挿入口よりも小径の開口を形成している構成が提案される。かかる構成によれば、挿入口の手前側に形成された、挿入口よりも小径な開口（手前側開口）によって、挿入口から尿が漏れた場合でも、尿が外部に漏れ出すのを防ぐことができる。なお、伸縮フィルムによって形成される手前側開口は、陰茎の太さに容易に拡開させることができるため、陰茎よりも小径であっても、陰茎の挿入口への挿入には支障が生じない。むしろ、手前側開口を陰茎よりも小径にしておけば、陰茎を挿入口に挿入した際に、伸張した手前側開口が復元弾力によって陰茎の周囲に密着することとなるため、外部への尿漏れを確実に防止可能となる。
【発明の効果】
【００１２】
以上のように、本発明によれば、挿入口からの尿漏れを従来構成よりも抑制できる。
【図面の簡単な説明】
【００１３】
【図１】尿器１の側面図である。
【図２】尿受容器２の斜視図である。
【図３】尿受容器２の縦断側面図である。
【図４】受容器本体１０の斜視図である。
【図５】挿入口部材１１の斜視図である。
【図６】図３中のＡ−Ａ線断面を矢印方向から見た斜視図である。
【図７】変形例の尿受容器２ａの斜視図である。
【図８】変形例の尿受容器２ａの基端側の縦断側面拡大図である。
【図９】非伸張状態の挿入口カバー１２の斜視図である。
【発明を実施するための形態】
【００１４】
図１は、本実施例の尿受容器２を用いた男性用の尿器１である。かかる尿器１は、尿受容器２と蓄尿容器４とをチューブ３で接続してなるものであり、使用時には、尿受容器２より低い位置に蓄尿容器４を設置した状態で、尿受容器２の内部に排尿し、チューブ３を介して尿受容器２から蓄尿容器４に尿を流下させる。なお、本実施例の尿器１は、座位や仰臥位、側臥位などで使用され得るものである。
【００１５】
尿受容器２には、挿入口６と排出口７が形成されており、比較的開口の広い挿入口６から陰茎を挿入し、内部で排出された尿を比較的開口の狭い排出口７から排出するよう構成される。チューブ３は、一般的な樹脂製の透明チューブであり、継手８を介して尿受容器２の排出口７に接続されて、排出口７から排出される尿を流下させる。蓄尿容器４は、樹脂製のボトルからなるものであり、口の部分に装着された継手付きのキャップ９を介してチューブ３と接続されて、尿受容器２から流下する尿を受け入れる。
【００１６】
以下に、尿受容器２の構成について詳細に説明する。
図２，３に示すように、尿受容器２は、受容器２の外殻を構成する受容器本体１０と、受容器本体１０の基端側に嵌着されて挿入口６を形成する挿入口部材１１とで構成される。受容器本体１０と挿入口部材１１は、いずれもシリコン樹脂等からなる樹脂成形品であり、コンプレッション成型等で製造され得る。ここで、挿入口部材１１は、受容器本体１０よりも軟質の樹脂で形成される。尿受容器２の外殻を構成する受容器本体１０は一定の硬さを確保する必要があるが、挿入口部材１１は、受容器本体１０ほどの硬さは求められず、後述するように、軟質材料で形成して伸張し易くする方が好ましいためである。なお、尿受容器２の一般的なサイズは、全長１５ｃｍ程度である。
【００１７】
受容器本体１０は、図４に示すように、先端側に狭窄部２０が形成された略円筒形状をなしており、基端側には比較的大径の開口部２３が形成され、狭窄部２０によって小径となった先端側の開口部を排出口７としている。受容器本体１０の基端側の上部には、尿受容器２の内部の湿気を外部に排出するための換気孔２４が形成される。また、受容器本体１０の基端側の上部には、外側に突出する連結部２１と位置決め突部２２が形成される。連結部２１は、尿受容器２をクリップ等によって下着や専用ベルトに係止するためのものであり、位置決め突部２２は、挿入口部材１１の嵌着位置の位置決めに用いられる。
【００１８】
挿入口部材１１は、図２，３に示すように、受容器本体１０の基端側の開口部２３の周縁に嵌着されて、該開口部２３の内側に挿入口６を形成する。挿入口部材１１は、図３，５に示すように、開口部２３の周縁に外嵌する嵌着部３１と、該開口部２３から受容器本体１０の内部に延出して、受容器本体１０の基端側の内壁２５を覆うように配置される内カバー３０と、開口部２３の内側に延出して挿入口６を形成する略円環状の環状壁部３４とを備えている。
【００１９】
嵌着部３１は、図２，３，５に示すように、円環状をなしており、受容器本体１０の開口部２３の周縁に、全周に亘って隙間なく外嵌する。挿入口部材１１は、嵌着部３１の上部に形成された位置決め溝３６を、開口部２３の近傍に形成された位置決め突部２２に嵌合させることで、受容器本体１０に対して位置決めされる。
【００２０】
内カバー３０は、図３，５に示すように、受容器本体１０の基端側よりもわずかに小径の略円筒形状をなしており、受容器本体１０の内部で、受容器本体１０の内壁２５の基端側部分を覆っている。内カバー３０は、陰茎Ｐが受容器本体１０の内壁２５と当接しないよう支持するものであり、主に、陰茎Ｐが当接し易い内壁２５の底部と両側部を覆っている。内カバー３０には、底部に襞３７が形成され、また、両側部には多数の貫通孔３２が形成されており、これらにより、陰茎Ｐが内カバー３０に密着し難いようにしている。なお、受容器本体１０の内壁２５は、凹凸形状が形成されていると尿の流れが滞り易くなるため、円滑面となっている。このように、本実施例では、受容器本体１０の内壁２５を内カバー３０で覆うことで、陰茎Ｐが受容器本体１０の内壁２５と密着するのを抑え、装着感を向上させている。また、内カバー３０の上部には、換気孔３８，３８が形成される。この換気孔３８，３８は、図６に示すように、挿入口部材１１を受容器本体１０に嵌着した状態で、受容器本体１０の換気孔２４，２４と内外方向に重なり合って、内カバー３０の内部の湿気を外部に排出可能とする。
【００２１】
環状壁部３４は、図２，３，５に示すように、受容器本体１０の基端側の開口部２３の内側に延出して略円形の挿入口６を形成する。ここで、図６に示すように、環状壁部３４には、上部に切り欠き状の欠落部３５が設けられており、環状壁部３４は上部で欠落した開環形状をなしている。また、環状壁部３４は、図３，５に示すように、内カバー３０の内側で、開口部２３から受容器本体１０の内部に延出し、内カバー３０との間に、挿入口６の周縁に沿って先端側に開口する、円環状の逆流防止溝４１を形成している。なお、図３に示すように、内カバー３０が受容器本体１０の中央まで延出しているのに対して、環状壁部３４の延出幅は１ｃｍ程度と小さくなっている。このため、尿受容器２に挿入した陰茎Ｐは、挿入口６の周囲で環状壁部３４によって支持され、挿入口６よりも先端側で内カバー３０によって支持される。このように、尿受容器２に挿入される陰茎Ｐを環状壁部３４と内カバー３０の２箇所で支持すれば、陰茎Ｐと尿受容器２との接触面積を低減させて、装着感を向上させることができる。
【００２２】
本実施例の尿受容器２は、排尿の度に陰茎Ｐを挿入口６に挿脱するようにしてもよいし、連結部２１を下着や専用ベルトに係止することで、陰茎Ｐを挿入口６に常時挿入状態にしてもよい。ただし、使用時には、挿入口６よりも排出口７が低くなるように尿受容器２を傾けた状態で排尿することが必要である。尿受容器２を適切に傾けて使用すれば、排泄された尿は、重力により排出口７から流出して、チューブ３を介して蓄尿容器４へ流下することとなる。これに対して、尿受容器２を不適切な角度で使用したり、全ての尿が排出口７から排出される前に尿受容器２の角度を不用意に変更したりすると、尿の一部又は全部が、挿入口６の方向に逆流してしまう。本実施例の尿器１では、このように尿受容器２の内部で尿が逆流した場合でも、挿入口６からほとんど尿が漏れ出ないよう構成されている。以下、その詳細を説明する。
【００２３】
図３に示すように、本実施例では、受容器本体１０の内壁２５の基端側部分を内カバー３０で覆うことによって、内カバー３０の先端と受容器本体１０の内壁２５との間に段差２６が形成されている。このため、尿受容器２の内部で尿が挿入口６側に逆流した時に、かかる段差２６によって、尿の逆流を堰き止めることができる。特に、本実施例では、図６に示すように、内カバー３０と内壁２５の底部の間には隙間４０が形成されており、逆流した尿は、段差２６を越えるよりも先に当該隙間４０に流れ込むこととなるため、逆流した尿が段差２６を乗り越えて内カバー３０の内側に流れ込み難いという利点がある。内カバー３０の内側面は陰茎Ｐを支持する部分であり、内カバー３０の内側面が濡れると、使用者に不快感を与えてしまうが、このように、逆流した尿を、内カバー３０の先端で堰き止めて、内カバー３０の内側への尿の逆流を抑制すれば、挿入口６からの尿漏れを防止するだけでなく、装着感を向上させることができる。
【００２４】
また、本実施例では、図３，５，６に示すように、挿入口６の周囲には、環状壁部３４と内カバー３０との間に、先端側に開口する円環状の逆流防止溝４１が形成されるため、尿が段差２６を越えて内カバー３０の内側に流入したとしても、逆流した尿は、逆流防止溝４１に入り込んでしまい、挿入口６から漏れ出ることはない。かかる逆流防止溝４１は、挿入口６を囲繞するように形成されるため、尿受容器２が横倒しになっていても尿漏れを防止できる。
【００２５】
このように、本実施例では、内カバー３０と内壁２５の段差２６と、逆流防止溝４１とによって尿の逆流を阻止するため、従来構成に比べて、挿入口からの尿漏れを抑制できるという利点がある。
【００２６】
また、本実施例では、挿入口部材１１が受容器本体１０よりも軟質の樹脂で形成されているため、陰茎Ｐが挿入口６より太く膨張した場合に、環状壁部３４を伸張させて挿入口６を陰茎Ｐの太さ拡大させることができる。特に、環状壁部３４は、欠落部３５を有する開環形状をなしているため、環状壁部３４の欠落部３５を拡げることで挿入口６は比較的弱い力で拡大させられる。このように、本実施例では、陰茎Ｐの膨張時に挿入口６を比較的弱い力で拡大させられるため、陰茎Ｐが膨張した時に、環状壁部３４によって、使用者が痛みを感じるほど強く陰茎Ｐが締め付けられることがない。
【００２７】
次に、上記実施例の変形例について説明する。
本変形例の尿受容器２ａは、図７，８に示すように、上記実施例の尿受容器２に挿入口カバー１２を付加したものである。すなわち、本変形例の尿受容器２ａは、受容器本体１０と、挿入口部材１１と、挿入口カバー１２とで構成される。なお、受容器本体１０と挿入口部材１１の構成は、上記実施例と同一であるため、本文及び図中で同一符号を付して説明を省略する。
【００２８】
挿入口カバー１２は、天然ゴム等からなる伸張可能な伸縮フィルムを管状に成形してなるものである。図９に示すように、挿入口カバー１２は、両端に形成される短円筒状の筒部４２，４３と、他端側の筒部４３から一端側の筒部４２へテーパー状に先細りとなるテーパー部４４とで構成されており、一端側の筒部４２が、他端側の筒部４３に比べて小径となっている。ここで、挿入口カバー１２の非伸張状態では、筒部４２に形成される一端側の開口４５は、挿入口６よりも小径であり、また、筒部４３に形成される他端側の開口４６は、挿入口部材１１の嵌着部３１よりも小径である。
【００２９】
図７，８に示すように、挿入口カバー１２は、他端側の開口４６を拡開させるよう伸張させて、他端側の筒部４３を挿入口部材１１の嵌着部３１に外嵌させることによって装着される。かかる装着状態では、伸張した他端側の筒部４３が復元弾力によって嵌着部３１の表面に密着し、他端側の筒部４３に追従して伸張したテーパー部４４が、挿入口６の外周部を手前側から覆い、一端側の筒部４２の開口４５が、挿入口６の手前側に、挿入口６よりも小さい円形の開口（以下、手前側開口とも言う。）を形成している。かかる構成では、挿入口６から尿が漏れ出た場合でも、挿入口６より小径な手前側開口４５の部分で、尿が外部に漏れ出るのを防ぐことが可能となる。なお、伸縮フィルムで形成される手前側開口４５は、陰茎Ｐに合わせた開口径に容易に伸張させられるため、陰茎Ｐより小径であっても手前側開口４５が挿入口６への挿入の支障となることはない。むしろ、手前側開口４５を、陰茎Ｐよりも小径にしておけば、陰茎Ｐを挿入口６に挿入した際に、伸張した手前側開口４５が復元弾力によって陰茎Ｐの周囲に密着することとなるため、外部への尿漏れを確実に防止できる。ここで、手前側開口４５は、短円筒状の筒部４２によって形成されて、手前側開口４５と陰茎Ｐとは面接触となるため、手前側開口４５を陰茎Ｐに密着させても、陰茎Ｐの表面が傷つくおそれもない。
【００３０】
このように、本変形例によれば、挿入口カバー１２によって、外部への尿漏れを一層確実に防止することが可能となる。
【００３１】
なお、本発明の尿受容器は、上記実施例の構成に限定されず、適宜変更可能である。例えば、尿受容器の排出口の形状については実施例の構成に限定されず、尿受容器を接続するチューブや蓄尿容器の構成も実施例の構成を適宜変更可能である。
【符号の説明】
【００３２】
１  尿器
２，２ａ  尿受容器
３  チューブ
４  蓄尿容器
６  挿入口
７  排出口
８  継手
９  キャップ
１０  受容器本体
１１  挿入口部材
１２  挿入口カバー
２０  狭窄部
２１  連結部
２２  位置決め突部
２３  開口部
２４  換気孔
２５  内壁
２６  段差
３０  内カバー
３１  嵌着部
３２  貫通孔
３４  環状壁部
３５  欠落部
３６  位置決め溝
３７  襞
３８  換気孔
４０  隙間
４１  逆流防止溝
４２，４３  筒部
４４  テーパー部
４５，４６  開口
【図１】
2018191977.tif 000003
【図２】
2018191977.tif 000004
【図３】
2018191977.tif 000005
【図４】
2018191977.tif 000006
【図５】
2018191977.tif 000007
【図６】
2018191977.tif 000008
【図７】
2018191977.tif 000009
【図８】
2018191977.tif 000010
【図９】
2018191977.tif 000011